(57)【要約】【課題】移動框を軽微な操作力で壁面から容易に引き離し可能とし、かつ操作ハンドルを小型化し得る間仕切り装置の開閉装置を提供する。【解決手段】ハンガーレールに沿って移動可能に支持した間仕切り部材の端部に移動框を取着し、移動框をハンガーレールに沿って移動させることにより間仕切り部材を引き出し及び畳み込み可能とし、間仕切り部材を引き出したとき移動框をその対向面に保持する吸着手段を備えた間仕切り装置において、移動框３に対し操作ハンドル６を間仕切り部材の移動方向に沿って移動可能に支持し、操作ハンドル６の移動操作により押圧部材１２を対向面１６に向かって出没させて吸着手段１７，１９の吸着を解除する解除手段１０，１１，１５を備えた。【選択図】図２
0003154600.tif 000002
【実用新案登録請求の範囲】
【請求項１】
ハンガーレールに沿って移動可能に支持した間仕切り部材の端部に移動框を取着し、前記移動框を前記ハンガーレールに沿って移動させることにより間仕切り部材を引き出し及び畳み込み可能とし、前記間仕切り部材を引き出したとき前記移動框をその対向面に保持する吸着手段を備えた間仕切り装置において、
前記移動框に対し操作ハンドルを前記間仕切り部材の移動方向に沿って移動可能に支持し、前記操作ハンドルの移動操作により押圧部材を前記対向面に向かって出没させて前記吸着手段の吸着を解除する解除手段を備えたことを特徴とする間仕切り装置の開閉装置。
【請求項２】
前記移動框に支持ケースを取着し、前記支持ケース内に歯車を回転可能に支持し、前記操作ハンドルを前記支持ケースに移動可能に支持するとともに、該操作ハンドルに前記歯車に噛み合うラックを設け、前記押圧部材を前記支持ケースに出没可能に支持するとともに、前記押圧部材に前記歯車に噛み合うラックを設けて前記解除手段を構成したことを特徴とする請求項１記載の間仕切り装置の開閉装置。
【請求項３】
前記歯車は、歯数の異なる二つの歯車で構成し、前記操作ハンドルのラックを歯数の多い歯車に噛み合わせ、前記押圧部材のラックを歯数の少ない歯車に噛み合わせたことを特徴とする請求項２記載の間仕切り装置の開閉装置。
【請求項４】
前記解除手段は、前記移動框に支持ケースを取着し、前記支持ケース内に回動部材の中間部を回動可能に支持し、前記操作ハンドルを前記支持ケースに移動可能に支持するとともに、該操作ハンドルに前記回動部材の一端に係合するピンを設けて前記操作ハンドルの移動操作により回動部材を回動操作可能とし、前記押圧部材を前記支持ケースに出没可能に支持するとともに、前記押圧部材に前記回動部材の他端に係合するピンを設けて、前記回動部材の回動に基づいて押圧部材を出没させることを特徴とする請求項１記載の間仕切り装置の開閉装置。
【考案の詳細な説明】
【技術分野】
【０００１】
この考案は、アコーデオンカーテンや折戸等の間仕切り装置の開閉装置に関するものである。
【背景技術】
【０００２】
アコーデオンカーテンは、蛇腹状に伸縮可能としたカーテン生地を壁面間で引き出し、あるいは一方の壁面側に畳み込んで、室内空間を適宜に区画するものである。このようなアコーデオンカーテンでは、移動框が壁面に当接するまでカーテン生地を引き出したとき、カーテン生地に作用する復元力により、移動框が後退して、壁面との間に隙間が生じる。
【０００３】
そこで、移動框と壁面にマグネットの吸着力を利用した固定装置が設けられ、移動框を壁面に当接するまで移動させれば、固定装置により移動框の後退を阻止して、カーテン生地を全閉状態に保持するようになっている。
【０００４】
このような固定装置を備えたアコーデオンカーテンでは、マグネットの吸着力を強くすると、移動框を壁面から引き離す際に大きな操作力が必要となる。一方、マグネットの吸着力を弱くすると、移動框を確実に保持することができない。そこで、十分な吸着力を確保しながら、移動框を壁面から容易に引き離し可能とすることが必要である。
【０００５】
特許文献１には、ハンドルを回動させて、ハンドル受け部材を押圧することにより、スライド扉を開方向に移動させる構成が開示されている。
特許文献２には、レバー部材を回動操作して押圧部材をサッシ枠に押圧することにより、サッシを開放方向に移動させる構成が開示されている。
【先行技術文献】
【特許文献】
【０００６】
【特許文献１】実公昭６０−１１９１号
【特許文献２】特許第３５１２８７７号
【考案の概要】
【考案が解決しようとする課題】
【０００７】
特許文献１に記載された開閉装置では、ハンドルの回転操作に基づいて、ローラがハンドル受け部材上を転動するため、ハンドル受け部材のローラ転動面はローラが転動しやすい硬度と、ローラ転動方向に所要の長さが必要となる。
【０００８】
また、ハンドルを小型化するためにハンドルの傾斜部を短くすると、スライド扉の開操作時にスライド扉の所要の移動量を確保するためにはハンドルの回転角を大きくする必要がある。しかし、ハンドルの回転角が大きくなると、ハンドルを回動するにつれて、ハンドル受け部材を押圧する方向に作用する力が減少するため、ハンドルを回転させるための操作力が増大する。
【０００９】
さらに、ハンドルの回転角が増大すると、スライド扉を開方向へ移動させるとき、ハンドルが水平方向に近い角度となるため、スライド扉の移動操作が困難となる。
特許文献２に記載されたサッシでは、レバー部材を回動させて押圧部材を突出させた後、レバー部材を待機位置に復帰させても、押圧部材は原位置に復帰しない。従って、押圧部材を原位置に復帰させる作業が煩雑であるとともに、原位置に復帰させないと、サッシの框から押圧部材が突出して美観上好ましくない。また、このような構成を間仕切り装置の框に設けると、框から突出した押圧部材が室内外への出入りの邪魔になるという問題点がある。
【００１０】
この考案の目的は、移動框を軽微な操作力で壁面から容易に引き離し可能とし、かつ操作ハンドルを小型化し得る間仕切り装置の開閉装置を提供することにある。
【課題を解決するための手段】
【００１１】
請求項１では、ハンガーレールに沿って移動可能に支持した間仕切り部材の端部に移動框を取着し、前記移動框を前記ハンガーレールに沿って移動させることにより間仕切り部材を引き出し及び畳み込み可能とし、前記間仕切り部材を引き出したとき前記移動框をその対向面に保持する吸着手段を備えた間仕切り装置において、前記移動框に対し操作ハンドルを前記間仕切り部材の移動方向に沿って移動可能に支持し、前記操作ハンドルの移動操作により押圧部材を前記対向面に向かって出没させて前記吸着手段の吸着を解除する解除手段を備えた。
【００１２】
請求項２では、前記移動框に支持ケースを取着し、前記支持ケース内に歯車を回転可能に支持し、前記操作ハンドルを前記支持ケースに移動可能に支持するとともに、該操作ハンドルに前記歯車に噛み合うラックを設け、前記押圧部材を前記支持ケースに出没可能に支持するとともに、前記押圧部材に前記歯車に噛み合うラックを設けて前記解除手段を構成した。
【００１３】
請求項３では、前記歯車は、歯数の異なる二つの歯車で構成し、前記操作ハンドルのラックを歯数の多い歯車に噛み合わせ、前記押圧部材のラックを歯数の少ない歯車に噛み合わせた。
【００１４】
請求項４では、前記解除手段は、前記移動框に支持ケースを取着し、前記支持ケース内に回動部材の中間部を回動可能に支持し、前記操作ハンドルを前記支持ケースに移動可能に支持するとともに、該操作ハンドルに前記回動部材の一端に係合するピンを設けて前記操作ハンドルの移動操作により回動部材を回動操作可能とし、前記押圧部材を前記支持ケースに出没可能に支持するとともに、前記押圧部材に前記回動部材の他端に係合するピンを設けて、前記回動部材の回動に基づいて押圧部材を出没させる。
【考案の効果】
【００１５】
本考案によれば、移動框を軽微な操作力で壁面から容易に引き離し可能とし、かつ操作ハンドルを小型化し得る間仕切り装置の開閉装置を提供することができる。
【図面の簡単な説明】
【００１６】
【図１】アコーデオンカーテンを示す平面図である。
【図２】第一の実施形態の操作ハンドルを示す正面図である。
【図３】第一の実施形態の操作ハンドルの動作を示す平面図である。
【図４】第二の実施形態の操作ハンドルを示す平面図である。
【図５】第二の実施形態の操作ハンドルの動作を示す平面図である。
【図６】第三の実施形態の操作ハンドルを示す平面図である。
【図７】第三の実施形態の操作ハンドルの動作を示す平面図である。
【考案を実施するための形態】
【００１７】
（第一の実施形態）
以下、この考案を具体化した間仕切り装置の一実施の形態を図面に従って説明する。図１に示すアコーデオンカーテンは、パンタグラフ状に伸縮する骨組み１の前後両側に表面材２が取着されて間仕切り部材が構成され、その骨組み１の一端の支軸１ａに移動框３が相対回動可能に取着され、他端の支軸１ｂに固定框４が相対回動可能に取着されている。
【００１８】
前記固定框４は壁面５に固定され、前記移動框３の前後両面における上下方向中央部には操作ハンドル６が取着されている。
そして、前記骨組み１が複数のランナーを介してハンガーレール（図示しない）に移動可能に吊下支持され、操作ハンドル６を操作することにより間仕切り部材をハンガーレールに沿って伸縮可能となっている。
【００１９】
前記操作ハンドル６はコ字状に形成され、その両端部が一対の支持ケース７に対しそれぞれ左右方向、すなわち前記移動框３の移動方向に沿って移動可能に支持されている。前記支持ケース７は、前記移動框３の側面に前記操作ハンドル６の上下方向の長さに相当する間隔を隔てて固定されている。
【００２０】
具体的には、図２に示すように、各支持ケース７の先端部には左右方向に延びるガイド溝８が形成され、操作ハンドル６の上下両端部にはそのガイド溝８に挿入可能としたガイド片９が形成されている。そして、操作ハンドル６はそのガイド片９がガイド溝８に案内されて左右方向すなわち図２に示す矢印Ａ，Ｂ方向に移動可能に支持されている。
【００２１】
前記支持ケース７内には歯車１０が回転可能に支持され、同歯車１０に対向する前記操作ハンドル６の端縁には、該歯車１０に噛み合うラック１１が形成されている。従って、操作ハンドル６を左右方向に移動させると、歯車１０が回転される。
【００２２】
前記支持ケースの基端側、すなわち前記歯車１０を中心として前記ラック１１の反対側には押圧部材１２が左右方向に移動可能に支持されている。すなわち、支持ケース７にはガイド片１３が左右方向に設けられ、押圧部材１２にはガイド片１３を挿通可能としたガイド溝１４が形成されている。そして、押圧部材１２のガイド溝１４にガイド片１３が挿通されて、押圧部材１２が左右方向に移動可能に支持されている。
【００２３】
前記押圧部材１２には歯車１０に噛み合うラック１５が一体に形成されている。そして、操作ハンドル６の移動操作に基づいて歯車１０が回転されると、各押圧部材１２が支持ケース７から突出し、あるいは支持ケース７内に没入するようになっている。
【００２４】
また、押圧部材１２と操作ハンドル６は歯車１０を介して連動するため、押圧部材１２の移動方向は操作ハンドル６の移動方向とは逆方向に移動する。
前記押圧部材１２の先端部は、移動框３の中心方向に向かって直角に屈曲されて、その端面で対向する柱面１６を押圧可能となっている。
【００２５】
前記操作ハンドル６の上方および下方の少なくとも２箇所において、移動框３の先端面にはマグネット（吸着手段）１７がそれぞれ嵌着され、そのマグネット１７の端面すなわち前記柱面１６に対向する面にはヨーク板１８が露出されている。
【００２６】
前記柱面１６上において前記各マグネット１７に対向する位置には、磁性材にてなる吸着板１９が取着されている。そして、移動框３が柱面１６近傍まで引き出されて、ヨーク板１８が吸着板１９に当接すると、マグネット１７の吸着力によりヨーク板１８が吸着板１９に吸着保持されるようになっている。
【００２７】
次に、上記のように構成されたアコーデオンカーテンの動作を説明する。移動框３を柱面１６側へ移動させるときには、操作ハンドル６を持って図２に示す矢印Ｂ方向に操作する。すると、押圧部材１２は支持ケース７内にほぼ没入した状態で移動框３が移動して間仕切り部材が引き延ばされる。
【００２８】
そして、図２に示すように、移動框３を柱面１６に当接するまで移動させて、マグネット１７のヨーク板１８を吸着板１９に吸着させると、間仕切り部材が全閉状態に保持される。
【００２９】
一方、図２に示す状態から、移動框３を柱面１６から引き離す場合には、操作ハンドル６を矢印Ａ方向に押す。すると、操作ハンドル６が支持ケース７に対しスライドして歯車１０が回転され、この歯車１０の回転に基づいて押圧部材１２が支持ケース７から突出される。
【００３０】
この結果、図３に示すように、押圧部材１２の先端部で柱面１６を押圧してマグネット１７が吸着板１９から引き離される。そして、操作ハンドル６をさらに同方向へ操作すれば、移動框３が移動されて間仕切り部材が固定框４側に畳み込まれる。
【００３１】
上記のように構成されたアコーデオンカーテンの操作ハンドル６では、次に示す作用効果を得ることができる。
（１）操作ハンドル６を操作することにより移動框３を移動させて、アコーデオンカーテンの間仕切り部材をハンガーレールに沿って引き出し、あるいは畳み込むことができる。（２）移動框３に取着されたマグネット１７を柱面１６の吸着板１９に吸着させることができるので、本体部を全閉状態まで引き出したとき、移動框３を柱面１６に密接する状態に保持して、間仕切り部材を全閉状態に保持することができる。
（３）移動框３が柱面１６に保持されている状態から間仕切り部材を開放するとき、間仕切り部材の開放方向への操作ハンドル６の押圧操作により、ラック１１，１５及び歯車１０からなる解除手段の動作により押圧部材１２を柱面１６に向かって突出させて、マグネット１７のヨーク板１８を吸着板１９から順次引き離すことができる。従って、移動框３を柱面１６から引き離し、次いで移動框３を開放方向に移動させる操作を円滑に行うことができる。
（４）操作ハンドル６の移動操作により、ラック・ピニオン機構を介して押圧部材１２を突出させて移動框３を柱面１６に対し回動させることができる。従って、移動框３を柱面１６から引き離すための操作力を軽減することができる。
（５）ラック・ピニオン機構により、操作ハンドル６を大型化することなく、移動框３を柱面１６から引き離すための所要の操作力を確保することができる。従って、操作ハンドル６の大型化による美観の低下あるいはコストの上昇を防止することができる。
（６）操作ハンドル６を支持ケース７に対しスライドさせることにより、ラック・ピニオン機構を介して押圧部材１２を支持ケース７に対し出没させる構成であり、操作ハンドルの回動操作による回転モーメントを使用して押圧部材１２を突出させる構成ではない。従って、支持ケース７からの操作ハンドル６の高さを低くしても、押圧部材１２を駆動する力は減少しないので、操作ハンドル６の高さを低くして小型化を図ることができる。
（７）操作ハンドル６を図２に示す原位置に復帰させれば、押圧部材１２を支持ケース７内に没入する位置に復帰させることができる。
（第二の実施形態）
図４及び図５は、第二の実施の形態を示す。この実施の形態は、前記第一の実施の形態の歯車１０とラック１５の噛み合いを変更したものであり、その他の構成は第一の実施の形態と同様である。第一の実施の形態と同一構成部分は、同一符号を付して説明する。
【００３２】
前記歯車１０には、同一の回転軸で回転する歯車２０が一体に形成されている。その歯車２０の歯数は、歯車１０の半分である。そして、前記押圧部材１２に形成されたラック１５が歯車２０に噛み合わされている。
【００３３】
このような構成により、操作ハンドル６を操作して歯車１０を回転させると歯車２０が回転され、その歯車２０の回転に基づいて押圧部材１２が支持ケース７に対し出没する。そして、歯車２０の歯数は歯車１０の歯数の１／２であるため、押圧部材１２の移動ストロークは、前記第一の実施の形態に比して１／２となるが、歯車２０から押圧部材１２に伝達されるトルクは２倍となる。
【００３４】
従って、押圧部材１２を柱面１６に向かって突出させて、マグネット１７のヨーク板１８を吸着板１９から引き離すとき、操作ハンドル６を操作して歯車２０を回転させるための操作力を１／２に軽減することができる。
（第三の実施形態）
図６及び図７は、第三の実施の形態を示す。この実施の形態は、前記第一及び第二の実施の形態の歯車及びラックに代えて、操作ハンドルのスライド動作を回転動作に変換する回転部材を使用したものである。第一の実施の形態と同一構成部分は同一符号を付して説明する。
【００３５】
図６に示すように、支持ケース７には回動部材２１の中間部が支持ケース７に固定された支軸２２に回転可能に支持されている。回動部材２１の両端部には長孔２３ａ，２３ｂが形成されている。
【００３６】
操作ハンドル６は、前記実施の形態と同様に、そのガイド片９が支持ケース７のガイド溝８に案内されて左右方向に移動可能に支持されている。また、操作ハンドル６には支持ケース７内に突出するアーム部２４が形成され、そのアーム部２４に前記長孔２３ａに係合するピン２５が形成されている。
【００３７】
押圧部材１２は、前記実施の形態と同様に支持ケース７に対し出没可能に形成され、その基端部に支持ケース７内に突出するアーム部２６が形成されている。また、アーム部２６に前記長孔２３ｂに係合するピン２７が形成されている。
【００３８】
このような構成により、操作ハンドル６を図６に示す状態から操作ハンドル６をスライドさせると、図７に示すように、回動部材２１が回動され、その回動に基づいて押圧部材１２が柱面１６に向かって突出される。
【００３９】
従って、第一及び第二の実施の形態と同様な操作により、押圧部材１２を突出させて、移動框３を柱面１６から引き離すことができる。また、操作ハンドル６を図６に示す原位置に復帰させれば、押圧部材１２を支持ケース７内に没入する位置に復帰させることができる。
【００４０】
上記実施の形態は、以下の態様で実施してもよい。
・上記各実施の形態の操作ハンドルは、折戸に使用してもよい。
・操作ハンドルを原位置に向かって付勢する付勢手段を設けてもよい。この付勢手段は、押圧部材１２が支持ケース７から突出するとき、歯車１０，２０あるいは回動部材２１の回転に基づいて捩りコイルスプリングを蓄勢させ、その捩りコイルスプリングの付勢力で操作ハンドルを原位置、すなわち図２、図４あるいは図６に示す位置に向かって付勢するように構成すればよい。
【符号の説明】
【００４１】
１…間仕切り部材（骨組み）、２…間仕切り部材（表面材）、３…移動框、６…操作ハンドル、１０，２０…解除手段（歯車）、１２…押圧部材、１１，１５…解除手段（ラック）、１６…対向面（柱面）、１７…吸着手段（マグネット）、１９…吸着手段（吸着板）、２１…解除手段（回動部材）。
【図１】
0003154600.tif 000003
【図２】
0003154600.tif 000004
【図３】
0003154600.tif 000005
【図４】
0003154600.tif 000006
【図５】
0003154600.tif 000007
【図６】
0003154600.tif 000008
【図７】
0003154600.tif 000009